(57)【要約】【課題】  既存の部材を有効活用でき、かつ自然環境に及ぼす影響が少ない海中植物の育成媒体を提供する。【解決手段】  海中植物の種子2と、水砕スラグ（培地３）と、重りとを麻袋に収納し、この麻袋1の開口部を閉鎖手段で閉じる。種子2にはアマモの種子が好適である。閉鎖手段には、麻紐5などを利用することができる。収納袋として広く利用されている麻袋1を袋体に用い、さらに生育培地として産業廃棄物の一種である水砕スラグを用いることにより、既存材料を利用して経済的に海中植物の育成媒体を得ることができる。【選択図】図１
2005348625.tif 000002
【特許請求の範囲】
【請求項１】
海中植物の種子と、
水砕スラグと、
重りと、
前記種子、水砕スラグおよび重りを収納する麻袋と、
麻袋の開口部を閉じる閉鎖手段とを有することを特徴とする海中植物の育成媒体。
【請求項２】
麻袋内の収納物に麻袋の内面を密着させた状態で開口部が閉じられていることを特徴とする請求項１に記載の海中植物の育成媒体。
【請求項３】
麻袋は、その開口部周縁の一部から伸びる余長部を有し、
閉鎖手段となる線状体が麻袋に設けられ、
余長部で麻袋の開口部を塞ぎ、線状体で開口部が塞がれた麻袋を縛るように構成されたことを特徴とする請求項１に記載の海中植物の育成媒体。
【請求項４】
重りが麻袋内で偏在されていることを特徴とする請求項１に記載の海中植物の育成媒体。
【請求項５】
重りが徐冷スラグまたは転炉スラグであることを特徴とする請求項１に記載の海中植物の育成媒体。
【請求項６】
閉鎖手段が麻袋の開口部を縛る線状体で、
この線状体は麻紐または紙紐からなることを特徴とする請求項１に記載の海中植物の育成媒体。
【請求項７】
前記線状体は、海中において種子の発芽時期以前は麻袋の開口部を閉鎖し、発芽時期以後は自然劣化により破断して麻袋の開口部を開放する材料で構成されていることを特徴とする請求項６に記載の海中植物の育成媒体。
【請求項８】
種子がアマモの種子であることを特徴とする請求項１に記載の海中植物の育成媒体。
【請求項９】
麻袋内で種子と重りがほぼ対向する位置に分離して配されていることを特徴とする請求項１に記載の海中植物の育成媒体。
【発明の詳細な説明】
【技術分野】
【０００１】
本発明は、海中植物の育成媒体に関するものである。特に、産業廃棄物を効果的に利用でき、かつ環境への負荷が小さいアマモの育成媒体に関するものである。
【背景技術】
【０００２】
沿岸地域の開発により、漁場に適した藻場が減少している。そのため、人工的に藻場を形成して、漁場の新たな形成あるいは再生を行なうことが試みられている。
【０００３】
藻場の一つであるアマモ場を人工的に形成するための育成媒体として、例えば、特許文献1に記載の技術が知られている。この技術は、早期腐食性の繊維と難腐食性または非腐食性の繊維とで交織りした袋体を用いる。この袋体に、アマモの種子と肥料を砂泥に混合させた生育基盤材を充填し、その袋体を海底に敷設してアマモの播種基体として利用する。
【０００４】
【特許文献１】特開平6-205620号公報
【発明の開示】
【発明が解決しようとする課題】
【０００５】
しかし、上記の従来技術では、次のような問題があった。
【０００６】
(1)アマモの育成媒体として専用設計品を特別に作製する必要があり、既存の部材を有効活用できない。
従来の技術では、早期腐食性の繊維と難腐食性の繊維とで交織りした特殊な仕様の袋体を用意する必要があり、既存の部材をほぼそのまま活用することができない。そのため、育成媒体自体の作製が容易でなく、コストもかさむ。このような特殊仕様の部材を用いるのではなく、既存部材の活用が望まれるところである。特に、産業廃棄物として取り扱われている既存部材を活用できれば、資源の有効利用の点で一層好ましい。
【０００７】
(2)自然分解しない材料が用いられている。
従来の技術で用いられている難腐食性・非腐食性の繊維は、例えばビスコースレーヨンやポリアミドなど、自然環境下で分解し難いかほとんど分解しない材料が用いられており、自然環境に対する負荷が大きい。
【０００８】
(3)より多くの種子を発芽させることが難しい。
アマモの種子と肥料を砂泥に混合させた生育基盤材を袋体に充填すれば、ほぼ生育基盤材中に種子が一様に分散される。この状態で袋体を海底に敷設すると、袋体内で海面側に位置する種子は発芽により日光を受けて十分に生育しやすい環境を得られるが、海底側に位置した種子は生育基盤材中に深く埋もれて発芽・生育する可能性が低い。そのため、できるだけ多くの種子を有効に発芽させることが難しい。特に、アマモの種子は高価なため、発芽率や生育率が低いと経済性に劣る。
【０００９】
従って、本発明の主目的は、既存の部材を有効活用でき、かつ自然環境に及ぼす影響が少ない海中植物の育成媒体を提供することにある。
【００１０】
本発明の他の目的は、経済的に製作でき、かつ製造性や海中への投入作業性にも優れる海中植物の育成媒体を提供することにある。
【００１１】
さらに本発明の別の目的は、高い発芽率を得ることができる海中植物の育成媒体を提供することにある。
【課題を解決するための手段】
【００１２】
本発明は、育成媒体に用いる袋体の種類と、袋体内に充填する培地の種類とを特定し、さらに重りを組み合わせることで上記の目的を達成する。
【００１３】
本発明の海中植物の育成媒体は、海中植物の種子と、水砕スラグと、重りと、前記種子、水砕スラグおよび重りを収納する麻袋と、麻袋の開口部を閉じる閉鎖手段とを有することを特徴とする。
【００１４】
本発明では、収納袋として広く利用されている麻袋を袋体に用い、さらに生育培地として産業廃棄物の一種である水砕スラグを用いることにより、既存材料を利用して経済的に海中植物の育成媒体を得ることができる。
【００１５】
また、麻袋に海中植物の種子と、水砕スラグと、重りを充填するという簡単な作業で育成媒体を得ることができ、この育成媒体を海中に投入することで藻場の形成を実現できる。
【００１６】
さらに、多孔質の粒状体で水中に早期に沈み難い水砕スラグに対して重りを組み合わせることで、育成媒体を海中に投入した際、速やかに海底に沈降させることができ、かつ海底到着後は海流で生育媒体が流されることを抑制する。
【００１７】
＜海中植物の種子＞
本発明の利用に適した海中植物としては、海中種子植物が挙げられる。代表的にはアマモ類が好適である。アマモ類は水深1〜5ｍ程度の砂泥質の浅い海底に成育し、魚類の産卵場や幼魚の生育場として適し、さらには海底に地下茎を張って海底砂の移動を抑制するため藻場の形成品種として望ましい。より具体的には、アマモ、オオアマモ、タチアマモ、スゲアマモ、コアマモなどがある。
【００１８】
＜麻袋＞
麻袋は、一般にドンゴロスとよばれて穀物や建築資材などの収納袋に広く利用されている袋である。そのため、特別仕様の袋に加工することなく、そのまま育成媒体の構成材料として利用することができる。
【００１９】
また、通常、麻袋は比較的粗いメッシュ状に構成されており、十分な透水性と適度な光透過性を有し、育成培地の収納袋として好適である。さらに、このメッシュ構造は、アマモなどの種子が漏れ出ない程度の大きさで構成され、かつ発芽した芽がこのメッシュの間から芽を出すことも可能なため、育成媒体の構成材料として最適である。もちろん、育成媒体とした場合に、海中投入作業時に乱暴に扱われることがあっても容易に破れたりして充填物が漏れ出ることもない。
【００２０】
麻袋は、一般に利用されている既存の形態のまま利用することもできるが、わずかな加工を行って育成培地の収納袋として利用してもよい。例えば、麻袋の開口縁から一定面積分の生地を切り欠く。この加工により、麻袋は、切り欠かれた面は底部までの深さが浅く、切り欠かれていない面は底部までの深さが深い袋に形成される。言い換えれば、麻袋の開口部周縁の一部から伸びる余長部を有する袋が得られる。その場合、この麻袋に閉鎖手段となる線状体を設けておけば、余長部で麻袋の開口部を塞ぎ、線状体で開口部が塞がれた袋体を縛ることにより容易に麻袋の開口を閉じることができる。
【００２１】
＜水砕スラグ＞
本発明では、海中植物の育成培地として水砕スラグを用いる。鉄鋼を生産する際、同時にスラグが生成する。鉄鋼スラグには、高炉で鉄鉱石から銑鉄を生産するときに生成する高炉スラグと、転炉で銑鉄から鋼を生産するときに生成する製鋼スラグ（転炉スラグ）とがある。このうち、高炉スラグには徐冷スラグと水砕スラグとがある。徐冷スラグは、溶融高炉スラグを自然放冷して得られる結晶質の岩石状スラグである。水砕スラグは、溶融高炉スラグへの加圧水の噴射などにより急冷して得られる粒状スラグである。
【００２２】
これらのスラグは、従来、道路の路盤材やコンクリートの骨材程度しか用途が見出されていなかったが、本発明者らが後記する試験・検討を行った結果、藻場を形成するための育成媒体材料として好ましいことがわかった。特に、水砕スラグは、通常、比較的細かな粒状体であり、格別の加工を施すことなくアマモの生育する砂泥地に近似した環境を作り出すことが可能で、かつ環境に及ぼす影響も実質的にないため、海中植物の育成培地として最適である。
【００２３】
さらに、水砕スラグは、その成分である珪素やカルシウムが海水中で溶け出し、これを必要とする珪藻類の繁殖を促進する効果も期待できる。
【００２４】
このような水砕スラグは、単独で育成培地として用いてもよいが、さらに砂泥や肥料を混合しても良い。特に、藻場の形成環境の砂泥と混合すれば、砂泥中から海中植物の養分となる有機物の供給が見込めると共に、実際の海底状態に近い環境を容易に作り出すことができる。また、製鋼過程で生成した水砕スラグをそのまま用いても何ら問題ないが、一旦海水中あるいは海底に適宜な期間放置して、海中植物が生育する際の養分となる有機物を水砕スラグに付着させてから用いることも望ましい。
【００２５】
＜重り＞
重りは、育成媒体を速やかに海中に沈降させることができ、かつ海底において育成媒体の海流による移動が抑制できるものであれば良い。特に、自然環境に対する影響を最小限にするため、自然環境下に存在する材料や、人工材料であっても自然環境に対する影響のできるだけ小さな材料が好ましい。例えば、石や徐冷スラグまたは転炉スラグが挙げられる。このうち徐冷スラグや転炉スラグは、一般に岩石状であり、そのまま重りに利用することができる。特に、製鋼過程での生成物の有効利用という点でも好ましい。
【００２６】
この重りは麻袋内で偏在されていることが望ましい。重りを偏在させることで、海底に育成媒体を投入した際、育成媒体における重りの位置する側を海底側に位置させることが可能である。通常、麻袋に収納物を入れた状態の育成媒体は、ある程度扁平な形状になる。その場合、重りを用いることで海底における育成媒体の向きを統一して、均一に育成媒体を配置することができる。重りを麻袋内で偏在させるには、例えば、重りを麻袋に先に充填し、その後水砕スラグと種子を充填することなどで容易に実現できる。
【００２７】
＜開口部の閉鎖手段＞
麻袋は、種子などの収納物を充填する必要上、開口部が形成されているが、海中投入時に開口部から収納物が漏れ出ないようにするため、閉鎖手段を設ける。閉鎖手段は、最も単純には、麻袋の開口部を紐などの線状体で縛ることが挙げられる。紐で縛る閉鎖手段は、紐の入手が容易で、かつ閉鎖作業が容易に行える点で好ましい。特に、この線状体は自然分解性材料からなることが好適である。線状体も自然分解性材料で構成することで、環境負荷をより小さく抑えることができる。代表的には、麻紐、紙紐が挙げられる。
【００２８】
閉鎖手段は、種子などの収納物を麻袋内に充填した後に海中で閉じたままでも良いし、適時に開くように構成しても良い。媒体を海中に投入後、麻袋の開口部が閉じたままでも、麻袋のメッシュの間から発芽できるため問題はない。一方、海中で麻袋の開口部が開くようにするには、自然劣化で破断する線状体を用いることが好適である。つまり、この線状体は、海中において種子の発芽時期以前は麻袋の開口部を閉鎖し、発芽時期以後は自然劣化により破断して麻袋の開口部を開放する材料で構成されていることが望ましい。育成媒体を海中に投入してから発芽するまでには、通常、1〜2月程度の期間がある。この間に破断しない線状体とすることで、媒体の海中への投入から発芽時までの間に種子の流失を防ぐことができる。そして、上記期間後に海中での自然劣化により破断する線状体とすることで、麻袋の開口部を開き、麻袋が発芽時には芽の生育の障害にならないようにすることができる。開口部を開くことができれば、芽の生育に必要な日光を麻袋内に採り込むこともできる。線状体の具体的な材質としては、麻紐、紙紐などが挙げられる。これらの紐の太さと本数を適切に選択することで、1〜2月程度海水中に放置されることで自然劣化して破断させることができる。
【００２９】
さらに、麻袋の開口部周辺に木片などの自然分解性材料で構成した浮体を設けておくことも望ましい。その場合、線状体の破断後、開口部が浮体に引き上げられるため、開口部を海面方向に開いた状態に維持して光合成に必要な日光を採り込むことを可能にし、かつ海流で揺られた開口部付近の生地が発芽した芽に接触して損傷させることを回避できる。この浮体は、麻袋の開口縁部を引き上げることが可能な程度の浮力を得られれば十分である。
【００３０】
＜収納物の充填状態＞
麻袋内の収納物に麻袋の内面を密着させた状態で開口部が閉じられていることが好ましい。麻袋と収納物との間に空間が存在すると、この空間内で発芽した芽が、海流で揺れ動く麻袋の内面に接触して損傷することが考えられる。収納物と麻袋の内面が密着していれば、発芽した芽は直ちに麻袋のメッシュ間を突き抜けて生育することになり、上述の損傷を回避することができる。
【００３１】
また、種子が麻袋の内面近傍に配されていることが望ましい。麻袋の内面近傍に種子を配することで、水砕スラグ内に深く埋もれて発芽しない種子の数を低減することができる。特に、麻袋内で種子と重りがほぼ対向する位置に分離して配されていることが好ましい。この配置により、育成媒体の重り側が海底に、種子側が海面側に配されることになり、発芽した芽が日光を受けやすい海面側に生育する環境を得ることができる。このような種子と重りの分離配置は、例えば、まず麻袋に重りを入れ、次に水砕スラグのみを充填し、最後に水砕スラグと種子の混合物を充填することで実現できる。
【発明の効果】
【００３２】
本発明海中植物の育成媒体によれば、次の効果を奏することができる。
【００３３】
麻袋と水砕スラグという既存材料をほぼそのまま利用することができ、経済的かつ容易に海中植物の育成媒体を得ることができる。
【００３４】
麻袋は自然分解可能であり、水砕スラグや重りに用いる石、徐冷スラグ、転炉スラグといった材料も自然環境に及ぼす影響がほとんどないと考えられるため、育成媒体の全ての構成材料を環境負荷の非常に小さい材料で構成することができる。
【００３５】
水砕スラグ、徐冷スラグ、転炉スラグといった製鋼過程で生成される材料を藻場の形成という新たな用途に有効利用することができる。
【００３６】
育成媒体に重りを組み合わせることで、海中における育成媒体の向きを調整することができ、さらに海底で育成媒体の海流による移動を抑制することができる。
【発明を実施するための最良の形態】
【００３７】
以下、本発明の実施の形態を説明する。
【００３８】
（試験例１）
まず、水砕スラグを培地に用いた育成媒体の有効性を確認するため、麻袋、アマモの種子、培地、砂泥、重り用の玉石、浮体を用意し、これら構成部材を適宜組み合わせて育成媒体の試料を作製する。そして、この試料を海底に沈めて発芽状況を定期的に観察した。試料に用いた各種構成部材は以下の通りである。
【００３９】
＜A：麻袋＞
A1：普通型：縦1000mm、横600mm、使用繊維の太さ約2.5mm、1インチにおける繊維の本数8〜９本/inch(2.54cm)の麻袋である。
A2：余長型：A1の麻袋の一面を開口縁側から矩形に切り欠き、他面側が一面側よりも長い余長部となった麻袋である。
【００４０】
＜B：種子の配置＞
B1：偏在：種子を混合しない培地の上面付近に種子を混合した培地を厚さ5cm程度に被せる。一つの育成媒体における種子の数は100個とする。
B2：均等分散：培地と種子を混合し、この混合物を麻袋に入れる。一つの育成媒体における種子の数は400個とする。
【００４１】
＜C：培地の種類＞
C1：新のみ：新たな水砕スラグのみからなる培地。
C2：旧のみ：既に海水環境に240日間浸漬した水砕スラグのみからなる培地。
C3：新旧ミックス：C1とC2の水砕スラグを体積比で1：1の割合に混合したスラグからなる培地。
C4：砂泥ミックス：新たな水砕スラグに試験海底の砂泥を体積比で1：1の割合に混合した材料からなる培地。
【００４２】
＜D：培地の充填量＞
D1：満充填：麻袋の内面に培地が密着するように十分な量（40リットル）の培地を麻袋に充填する。
D2：部分充填：麻袋の内面と培地との間に空隙ができるようにD1よりも少ない量（20リットル）の培地を麻袋に充填する。
【００４３】
＜E：紐（閉鎖手段）＞
E1：麻紐：太さ3.0mm、本数5本（余長型の麻袋は2本）
E2：紙紐：太さ1.8mm、本数5本（余長型の麻袋は2本）
＜F：重り＞
F1：偏在：重さ15〜20kg（石の形によって異なる）の玉石からなる重りを培地の一方に偏在して配置する。種子の配置で「偏在」を選択した場合、種子と重りは麻袋内のほぼ対向する位置に離れて配置される。
【００４４】
以上の試験条件を組み合わせた複数の試料を用意し、それら各試料を水深約2.0〜3.0mの海底に沈めて、1月後と２月後の各々に引き上げて試料の状態を観察した。実際に育成媒体を用いてアマモ場の形成を行う場合には、媒体を海底に沈めるとそのまま放置するが、今回は媒体の状態を観察するため、図1、2、4、5に示すように、ロープ（図示を省略）を結びつけたプラスチックのバスケット20に各媒体10を入れ、ロープを引っ張ることでバスケット20ごと育成媒体10を引き上げられるようにした。
【００４５】
代表的な試料を図に基づいて説明する。
A1+B1+C1+D1+E1+F1の試料は、図1(A)に示すように、普通型の麻袋1の中に種子2、培地3、重り4を入れて開口部を側方に向け、この開口部を5本の紐5で縛って内容物が漏れ出ないようにした。培地3中の種子2は、麻袋の上面側に偏在され、麻袋の内面は培地に接触している。
【００４６】
この試料の種子2の配置を均等分散B2とした試料は、図1(B)に示すように種子が全培地3中に均一に分散される。
【００４７】
培地の充填量を部分充填D2とした試料は、図2に示すように、麻袋1の内面と培地3との間に空隙が形成されている。この試料で種子2を偏在した場合を図2(A)に、均等分散した場合を図2(B)に示す。
【００４８】
余長型の麻袋A2は、図3(A)に示すように、麻袋1の一面側が他面側よりも長い余長部11を有する構成である。育成媒体に用いる場合、図3(B)に示すように、この余長部11を麻袋の他の箇所に巻きつけるように折り曲げて開口部を閉じ、この麻袋の外周に2本の紐を巻き付けて縛ることで内容物が漏れ出ないようにした。余長型の麻袋に用いる紐は、麻袋に縫い付けて一体化しておいても良い。
【００４９】
上記の試験条件を表１に、試験結果を表２にまとめて示す。表２において、発芽状態は、1月目の場合、試料No.1の発芽状態を基準（100）として、発芽数の数の概略比で示している。２月目の場合、１月時に発芽した芽の育成状態を三段階で示している。
【００５０】
【表１】
2005348625.tif 000003
【００５１】
【表２】
2005348625.tif 000004
【００５２】
以上の試験の結果から、次のことが判明した。
(1)麻袋は、「普通型」でも「余長型」でも発芽状態に対する影響について優位的な差がみられない。発芽した芽は麻袋の生地のメッシュ間から麻袋の外側に伸びることができる。麻袋の生地は培地投入後1〜2月の間に自然劣化により部分的に薄くなったり破れたところが見られるが、発芽が始まる1月程度までは種子の流失を抑制できる。
【００５３】
(2)種子の配置は、「偏在」とした方が育成媒体に用いた種子の数に対して発芽する数の割合を高めることができて好ましい。
【００５４】
(3)培地の種類は、「新のみ」、「旧のみ」のいずれであっても発芽が認められる。ただし、一旦海水に浸漬しておいた水砕スラグを用いた培地あるいは砂泥を混合した培地の方が発芽・生育の割合が高い。海中の養分が培地に吸着されるためと推測される。また、全ての培地中にはゴカイの成育が観察され、水砕スラグの自然環境や他の生物への影響がほとんどないと推察される。
【００５５】
(4)培地の充填量は、麻袋の内面に培地が接触する程度に十分な量を用いることが好ましい。培地に麻袋が密着していても、発芽した芽は麻袋のメッシュ間から生育することが可能である。麻袋の内面と培地との間に空隙が存在すると、発芽した芽に海水に揺られた麻袋が接触し、芽が損傷されることがある。
【００５６】
(5)紐は紙紐の方が麻紐よりも自然劣化による破断が早期に起こる。麻紐の太さが2.5mmの場合、育成媒体を海中に投入後、2月経過してもほとんど破断はしない。一方、紙紐は太さが1.8mmの場合、育成媒体を海中に投入後、2月経過時で一部破断していた。
【００５７】
(6)重りを用いることで、育成媒体を速やかに海中に沈めることが可能である。
【００５８】
（試験例２）
次に、試験例１において、麻袋や紐に自然劣化による破断の傾向が認められたことから、閉鎖手段としての紐の材質、太さ、本数を調整することで、適切な時期に麻袋の開口部を開くことが可能ではないかと考え、以下の模擬試験を行った。
【００５９】
閉鎖手段としての紐の材質と太さを変えた複数種類の試料を作製し、これらの試料を海水が流通される水槽内に沈め、自然劣化により紐が破断して麻袋の開口部が開くかどうかを調べた。実海底を想定して、試料の全てにほぼ均等に海水流が当たるように調整する。
【００６０】
ここでは、図4(A)に示すように、麻袋1の開口部を紐5で縛り、この開口部を上方に向けて育成媒体10をバスケット20に入れ、そのバスケット20を水槽中に配置した。時間経過により紐5が自然劣化して破断した場合、図4(B)に示すように、麻袋1の開口部が開く。また、一部の試料には浮体を設けて、麻袋1の開口部が開いた際に麻袋1の開口部を拡げられるかどうかも調べた。浮体には木片を用い、図5(A)に示すように、この木片6を麻袋1の開口部に紐6Aで結びつけておく。時間経過により紐5が自然劣化して破断した場合、図5(B)に示すように、麻袋1の開口部が開き、木片6の浮力に持ち上げられて麻袋1の開口状態が維持されやすいかどうかを確認する。木片を麻袋に結びつける紐は海水中で劣化して試験期間中に切断しないように十分に太いものとする。
【００６１】
この実験で用いた紐は、いずれも麻袋の開口部に2〜5本巻き付けることで開口部の閉鎖を行っている。紐の切断状況は、試料を水槽投入後３ヶ月の間に切断するかどうかで調べた。試験条件を表３に、試験結果を表４にまとめて示す。この表において、「切断せず」とは３月経過時に紐が切断していないことを示し「一部切断」とは３月経過時に紐が一部しか切断しなかったことを示し、「切断」は３月経過時に紐が全て切断したことを示す。切断時期は、全ての紐の切断時または一部の紐の切断時を概略で示す。
【００６２】
【表３】
2005348625.tif 000005
【００６３】
【表４】
2005348625.tif 000006
【００６４】
表４の結果から推測すると、麻紐の場合は太さを2.0mm以下として本数を2〜3本以下、紙紐の場合は太さを1.8mm以下として本数を5本以下とすることで、試料を海中に投入してからほぼ発芽する頃までの間に紐が劣化し、開口部を開くことができると考えられる。
【００６５】
また、実験は行わなかったが、麻紐と紙紐を組み合わせて用いれば、陸上では麻と紙の両方の紐により強固に麻袋の開口部を縛ることができ、かつ育成培地の取り扱い時の外力で紐が破断することを回避できると考えられる。一方、海中では、紙紐が比較的早期に破断するが、麻紐が残存して麻袋の開口部が開くことを抑制し、種子の流失を防止する。そして、ほぼ発芽時には自然劣化により麻紐も破断し、麻袋の開口部を開いて袋内に日光の入射を可能にして、芽の発育促進を図ることができる。
【００６６】
（試験例３）
次に、重りの配置により、育成媒体の海底における向きの調整が可能かどうかを調べた。ここでは、下記の試料を用意し、バスケットに試料を入れるのではなく、直接試料を海底に沈める。より具体的には、海面から海底が十分に見える程度の海中に試料を投入する。その際、試料の向きは特に意識することなく適当に持って海中への投入を行う。そして、海底に到達した試料がどのような向きで配置されているかを観察する。海中における試料の向きは、麻袋の開口部が上向きになっていれば、重りが海底側にあるものと判断する。さらに１月後に再度試料を観察し、試料が海流などで移動していないかどうかも観察する。
【００６７】
＜用意した試料＞
麻袋はA1、種子は省略、培地種類はC1、培地充填量はD1、紐はE1で、全ての試料に共通とする。重りは次の３種類とする。
【００６８】
F1：試験例１におけるF1と同じ。
F2：F1における玉石を徐冷スラグに置き換えたもの。
F3：中心：玉石からなる重りを培地のほぼ中心に配置する。
F4：重りなし。
【００６９】
試験の結果、重りでF1、F2を選択した試料は、速やかに海中に沈めることができると共に、海底では麻袋の開口部が全て上向きであり、重りを偏在させることにより、育成媒体の海中での向きを調整できることが確認された。また、１月経過後の再観察時も、試料の位置はほとんど変わっていないことが確認された。そのため、麻袋内において重りと対向する位置に種子を配すれば、その種子を育成媒体の海面側に位置させることができ、発芽した芽に日光が当たりやすい環境を得ることができる。
【００７０】
一方、重りでF3またはF4を選択した試料は、いずれも海中における試料の向きがばらばらであった。特に、重りのない試料は、海中投入時に速やかに沈降させることができなかった。
【産業上の利用可能性】
【００７１】
以上説明したように、本発明は、アマモなどの海中植物の生育に好適な生育媒体として利用できる。従って、沿岸における藻場を生成して漁場を形成する分野において利用することが期待される。
【図面の簡単な説明】
【００７２】
【図１】(A)は種子を偏在させて培地を満充填した育成培地の説明図、(B)は種子を均等分散させて培地を満充填した育成培地の説明図である。
【図２】(A)は種子を偏在させて培地を部分充填した育成培地の説明図、(B)は種子を均等分散させて培地を部分充填した育成培地の説明図である。
【図３】(A)は余長型の麻袋を開いた状態の模式概観図、(B)は同袋を閉じた状態の模式概観図である。
【図４】(A)は開口部を上方に向けた育成培地の説明図、(B)は同育成培地の麻袋の開口部が開いた状態の説明図である。
【図５】(A)は浮体を用いた育成培地の説明図、(B)は同育成培地の麻袋の開口部が開いた状態の説明図である。
【符号の説明】
【００７３】
1  麻袋  2  種子  3  培地  4  重り  5  紐  6  木片  6A  紐
10  育成媒体  11  余長部  20バスケット
【図１】
2005348625.tif 000007
【図２】
2005348625.tif 000008
【図３】
2005348625.tif 000009
【図４】
2005348625.tif 000010
【図５】
2005348625.tif 000011